(57)【特許請求の範囲】
【請求項１】
構造物の床等にコンクリートスラブを形成する際に、スラブ型枠として用いられるデッキプレートに取り付けられる落下防止フックであって、
先端側を折り曲げるようにして係止部が形成された棒状部材と、
この棒状部材の基端側に取り付けられるキャップと、を備えたことを特徴とする落下防止フック。
【請求項２】
前記キャップは、軸方向にネジ孔が設けられた円柱状の軸体を備え、
前記棒状部材は、前記ネジ孔へ螺合する雄ネジ部が前記基端側に設けられたことを特徴とする請求項１に記載の落下防止フック。
【請求項３】
前記キャップは、前記軸体の前記ネジ孔が設けられていない側の端部に軸方向と直交するようにフランジが設けられるとともに、このフランジに接続された側から前記ネジ孔の開口部側に向かって次第に薄肉となるように側面視楔状に形成されたテーパーリブが前記軸体の外周面に設けられたことを特徴とする請求項２に記載の落下防止フック。
【請求項４】
前記棒状部材は、鋼材により形成されたことを特徴とする請求項１乃至請求項３のいずれか１項に記載の落下防止フック。
【請求項５】
前記係止部は、前記棒状部材の先端側が直角に折り曲げられるようにして形成されたことを特徴とする請求項１乃至請求項４のいずれか１項に記載の落下防止フック。
【発明の詳細な説明】
【技術分野】
【０００１】
本発明は、建築物の床や天井等にコンクリートスラブを形成する際にスラブ型枠として用いられるデッキプレートに取り付けられる落下防止フックに係り、特に、デッキプレートの落下を防いでスラブ施工後の型枠解体時における作業効率を高めることが可能な落下防止フックに関する。
【背景技術】
【０００２】
鉄筋コンクリートや鉄骨鉄筋コンクリートを構造材料とする建築物では、鋼製の板材を加工したデッキプレートがコンクリートスラブを形成する際の型枠として用いられることがあるが、一般に、このデッキプレートは再利用の目的でスラブ施工後に撤去される。
【０００３】
ここで、デッキプレートの構造について図６を用いて説明する。図６（ａ）は従来技術に係るデッキプレートの側面図であり、図６（ｂ）及び図６（ｃ）は図６（ａ）に示したデッキプレートを構成する２種類の型枠部材の平面図である。
なお、図６（ｂ）及び図６（ｃ）は図６（ａ）において矢印Ｄで示す方向に見たデッキプレートを２つの型枠部材に分解した状態を示す図に相当する。
【０００４】
図６（ａ）乃至図６（ｃ）に示すように、デッキプレート５１は、コンクリートを打設する際に上面５４ａ，５５ａが成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の鋼板製の型枠部材５２，５３からなる。
角パイプ５６，５７はいずれも一端が扁平状に押圧変形されており、この端部（以下、扁平端５６ｂ，５７ｂという。）を閉塞するように鋼板製の長尺部材（図示せず）がその内部に挿設されている。そして、角パイプ５６の外径は角パイプ５７の内径よりも小さく、開口端５６ａは開口端５７ａに対して挿通可能に形成されている。
【０００５】
角パイプ５６の上面は平板５４に対し、長手方向の中央付近と扁平端５６ｂの近傍の２か所がスポット溶接されており、角パイプ５７の上面は平板５５に対し、長手方向の中央付近と両端近傍の３か所がスポット溶接されている。これにより、型枠部材５２は、型枠部材５３の角パイプ５７の内部に角パイプ５６を挿通するようにして、平板５４の下面５４ｂと角パイプ５６の上面の間に、平板５５を所定の長さだけ挿入可能となっている。
【０００６】
すなわち、デッキプレート５１は、角パイプ５６の開口端５６ａを角パイプ５７の開口端５７ａの内部に挿入するようにして型枠部材５２を型枠部材５３に連結し、図６（ａ）に矢印Ｘで示すように型枠部材５２，５３を互いにスライドさせることにより、全長を容易に調節可能な構造となっている。
なお、平板５４，５５は厚さが０．８ｍｍ程度と薄いため、平板５４の下面５４ｂと角パイプ５６の上面の間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００７】
次に、このデッキプレート５１を用いたコンクリートスラブの施工方法について図７及び図８を用いて説明する。図７はデッキプレート５１を用いてコンクリートスラブを施工する際の従来の作業手順を示す工程図である。また、図８（ａ）及び図８（ｂ）は型枠が解体される様子を模式的に示した図である。
図８（ａ）に示すように、まず、既に形成されている下階のスラブ５８等の上に支保工５９を組み上げ、この志保工５９の上に梁型枠６０を設置する（図７のステップＳ１０）。次に、型枠部材５２，５３をスライドさせて全体を適切な長さに調節した後、対向する２つの梁型枠６０，６０の側部に固定された角材６１，６１の上面に両端をそれぞれ載置するようにしてデッキプレート５１を設置する。さらに、梁型枠６０，６０の間に設置された志保工５９の上に枕木６２を載置してデッキプレート５１の中央部を支持する（図７のステップＳ２０）。そして、複数のデッキプレート５１の平板５４，５５の上面５４ａ，５４ｂに鉄筋からなるスラブ型枠（図示せず）を形成した後、このスラブ型枠内にコンクリートを打設する（図７のステップＳ３０）。
【０００８】
図８（ｂ）に示すように、コンクリートが固化して梁６３とスラブ６４が形成された段階で上記スラブ型枠や支保工５９、あるいは梁型枠６０やデッキプレート５１などを撤去することになるが、その際、全ての志保工５９を一度に撤去してしまうと、支えを失ったデッキプレート５１が不用意に落下してしまうおそれがある。そのため、通常、所定のデッキプレート５１に対し、枕木６２で支持していた箇所とは別の箇所を支持する目的で新たな支保工５９が設置される（図７のステップＳ４０）。そして、全てのデッキプレート５１を撤去した後、上記スラブ型枠と支保工５９及び梁型枠６０を撤去する（図７のステップＳ５０）。
【０００９】
型枠解体時に支保工の突き替えを行うと、工期が長くなるため、スラブの施工費用が高くなってしまう。しかしながら、何も対策をしない場合には、デッキプレート５１が落下する可能性があるため、作業時の安全性を確保できない。
このような課題を解決するものとして、例えば、特許文献１には「型枠受装置」という名称で、型枠解体時に支保工の突き替えを行うことなく、型枠材等の落下を防ぐことができる装置に関する考案が開示されている。
【００１０】
この考案は、型枠材が撤去された躯体コンクリートの垂直壁面の上部に取り付けられるブラケット受金具と、このブラケット受金具に取り付けられるブラケットを備え、躯体コンクリートの水平スラブ面の型枠材とその支持部材等の解体時にそれらをブラケットによって受けるように構成されたことを特徴とする。
このような構成によれば、型枠が不用意に落下するおそれがないため、下方部分の仕上工事を先行して施工することが可能であり、これにより、全体として工期の短縮を図ることができる。
【先行技術文献】
【特許文献】
【００１１】
【特許文献１】実開平５−６４３５６号公報
【発明の概要】
【発明が解決しようとする課題】
【００１２】
特許文献１に開示された考案においては、水平スラブ面の型枠（図８に示したデッキプレート５１に相当）の解体・撤去作業を行う前に、垂直壁面部分に残されているセパレータ・Ｐコンの螺子部にブラケットを取り付けなければならないため、工期が短くなるどころか、逆に長くなってしまうおそれがある。また、ブラケットを製造するための費用が新たに発生する。さらに、ブラケットを設置できる場所が限定されているため、ブラケットを設置できない場所では型枠の撤去作業時に安全性を十分に確保できないという課題もあった。
【００１３】
本発明は、このような従来の事情に対処してなされたものであり、コンクリートスラブ施工後における型枠解体作業の安全性と効率を高めるとともに安価に製造することが可能な落下防止フックを提供することを目的とする。
【課題を解決するための手段】
【００１４】
上記目的を達成するため、第１の発明は、構造物の床等にコンクリートスラブを形成する際に、スラブ型枠として用いられるデッキプレートに取り付けられる落下防止フックであって、先端側を折り曲げるようにして係止部が形成された棒状部材と、この棒状部材の基端側に取り付けられるキャップと、を備えたことを特徴とするものである。
【００１５】
コンクリートスラブを施行する際に、水平に設置されたデッキプレートの平板に設けられた貫通孔に棒状部材を上面側から差し込むようにして上記構造の落下防止フックを取り付けた後、デッキプレートの平板の上面に形成されたスラブ型枠内にコンクリートを打設すると、コンクリートの固化に伴ってキャップのスラブ内からの離脱が困難となる。この場合、落下防止フックは棒状部材の係止部を平板の下面に係止させた状態でデッキプレートを保持するという作用を有する。
【００１６】
また、第２の発明は、第１の発明において、キャップは、軸方向にネジ孔が設けられた円柱状の軸体を備え、棒状部材は、ネジ孔へ螺合する雄ネジ部が基端側に設けられたことを特徴とするものである。
このような構造の落下防止フックにおいては、第１の発明の作用に加えて、デッキプレートの平板に設けられた貫通孔に差し込まれた状態で、係止部を把持してネジ孔の中心軸まわりに所定の方向へ回動させると、棒状部材がネジ孔から簡単に離脱し、当該貫通孔から容易に撤去されるという作用を有する。
【００１７】
第３の発明は、第２の発明において、キャップは、軸体のネジ孔が設けられていない側の端部に軸方向と直交するようにフランジが設けられるとともに、このフランジに接続された側からネジ孔の開口部側に向かって次第に薄肉となるように側面視楔状に形成されたテーパーリブが軸体の外周面に設けられたことを特徴とするものである。
上記構造によれば、コンクリートが固化して、その強度が所定の基準値に達した後に棒状部材を撤去する際にフランジが抵抗となるため、キャップがさらに離脱し難くなり、スラブによってキャップが確実に固定される。一方、テーパーリブは、キャップから棒状部材を取り外す際にフランジを破損し難くするための補強部材として機能する。したがって、本発明においては、棒状部材がネジ孔から簡単に離脱し、デッキプレートの平板に設けられた貫通孔から容易に撤去されるという第２の発明の作用がより一層発揮される。
【００１８】
第４の発明は、第１の発明乃至第３の発明のいずれかにおいて、棒状部材は、鋼材により形成されたことを特徴とするものである。
上記構造の落下防止フックにおいては、第１の発明乃至第３の発明のいずれかの作用に加えて、棒状部材の引張強度が高くなるという作用を有する。
【００１９】
第５の発明は、第１の発明乃至第４の発明のいずれかにおいて、係止部は、棒状部材の先端側が直角に折り曲げられるようにして形成されたことを特徴とするものである。
上記構造の落下防止フックでは、第１の発明乃至第４の発明のいずれかの作用に加えて、デッキプレートの平板の下面と棒状部材の係止部との係止状態を安定させつつ、当該平板に設けられた貫通孔への棒状部材の差し込み作業を容易にするという作用を有する。
【発明の効果】
【００２０】
以上説明したように、第１の発明によれば、コンクリートが固化してスラブが形成された段階で支保工を撤去してもデッキプレートが落下するおそれがないため、型枠解体時に支保工の付き替えを行う必要がない。したがって、工期が短縮される。すなわち、本発明によれば、コンクリートスラブ施工後における型枠解体作業の安全性と効率を高めることができる。また、本発明の落下防止フックは簡単な構造であるため、安価に製造することが可能である。
【００２１】
第２の発明によれば、第１の発明の効果に加えて、デッキプレートの平板に設けられた貫通孔から棒状部材を短時間で効率よく撤去できるという効果を奏する。
【００２２】
第３の発明によれば、キャップから棒状部材を取り外す際にキャップがスラブによって確実に固定されるとともに、キャップが破損し難いため、第２の発明の効果に加え、デッキプレートから棒状部材を効率良く撤去できるという第２の発明の効果がより一層発揮される。
【００２３】
第４の発明では、棒状部材を合成樹脂等によって成形する場合に比べて、棒状部材の引張強度が高くなるため、デッキプレートに取り付ける落下防止フックの個数を削減することが可能である。したがって、本発明によれば、第１の発明乃至第３の発明の効果を奏することに加え、特に、コンクリートスラブ施工後における型枠解体作業の効率を高めることができるという第１の発明の効果がより一層発揮される。
【００２４】
第５の発明によれば、コンクリートスラブ施工後における型枠解体作業の安全性と効率を高めることができるという第１の発明の効果がより一層発揮される。
【図面の簡単な説明】
【００２５】
【図１】（ａ）は本発明の実施の形態に係る落下防止フックの実施例の外観図であり、（ｂ）は同図（ａ）の縦断面図であり、（ｃ）は同図（ａ）におけるＡ−Ａ線矢視断面図である。
【図２】（ａ）及び（ｂ）はそれぞれ図１に示した落下防止フックが取り付けられた状態を示すデッキプレートの平面図及び側面図であり、（ｃ）は同図（ａ）におけるＢ−Ｂ線矢視断面の一部を拡大して示した図である。
【図３】図１に示した落下防止フックを用いたコンクリートスラブの施工手順を示す工程図である。
【図４】（ａ）及び（ｂ）は図３に示した作業手順に従って型枠が解体される様子を模式的に示した図である。
【図５】（ａ）及び（ｂ）は図３に示した作業手順に従って型枠が解体される様子を模式的に示した図である。
【図６】（ａ）は従来技術に係るデッキプレートの側面図であり、（ｂ）及び（ｃ）はそれぞれ同図（ａ）に示したデッキプレートを構成する２種類の型枠部材の平面図である。
【図７】デッキプレートを用いてコンクリートスラブを施工する際の従来の作業手順を示す工程図である。
【図８】（ａ）及び（ｂ）は図７に示した作業手順に従って型枠が解体される様子を模式的に示した図である。
【発明を実施するための形態】
【００２６】
本発明の落下防止フックについて、図１乃至図５を参照しながら具体的に説明する。なお、デッキプレートに落下防止フックを設置する箇所やその個数については、本実施例で示した場合に限定されるものではなく、適宜変更可能である。また、デッキプレートや角材などの支持方法についても本実施例で示したものに限定されない。
【実施例】
【００２７】
図１（ａ）は本発明の落下防止フックの外観の一例を示す図であり、図１（ｂ）は図１（ａ）において棒状部材の中心軸を含む平面でキャップを切断した状態を示す図であり、図１（ｃ）は図１（ａ）におけるＡ−Ａ線矢視断面図である。
また、図２（ａ）及び図２（ｂ）はそれぞれ図１に示した落下防止フックが取り付けられた状態を示すデッキプレートの平面図及び側面図であり、図２（ｃ）は図２（ａ）におけるＢ−Ｂ線矢視断面の一部を拡大して示した図である。
【００２８】
なお、図２（ａ）乃至図２（ｃ）ではデッキプレート５１を構成する型枠部材５２，５３のうち、落下防止フック１が型枠部材５２に取り付けられた状態を示しているが、落下防止フック１が型枠部材５３に取り付けられた場合も同様の状態になる。すなわち、型枠部材５３に落下防止フック１が取り付けられた場合については、説明を省略しているが、型枠部材５２に落下防止フック１が取り付けられた場合に関する以下の説明が同様に当てはまる。また、図２（ｃ）では図が煩雑になるのを避けるため、便宜上、落下防止フック１については断面表示とせずに、平板５４のみを断面表示としている。さらに、図６に示した構成要素については同一の符号を付してその説明を省略する。
【００２９】
図１（ａ）乃至図１（ｃ）に示すように、本発明の落下防止フック１は、鋼製の棒状部材２と、この棒状部材２の一端に螺着されるキャップ３からなる。
棒状部材２は、先端側を直角に折り曲げるようにして係止部２ａが形成されるとともに、基端側に雄ネジ部２ｂが形成されている。
キャップ３は、棒状部材２の雄ネジ部２ｂが螺入されるネジ孔４ａが軸方向に設けられた円柱状の軸体４と、この軸体４に対し、ネジ孔４ａが設けられていない側の端部に軸方向と直交するように設けられるフランジ５と、フランジ５に接続された側からネジ孔４ａの開口部側に向かって次第に薄肉となるように側面視楔状に形成されて軸体４の外周面に設けられるテーパーリブ６からなり、ＰＥやＡＢＳなどの合成樹脂を用いて一体成形された構造となっている。なお、テーパーリブ６は、ネジ孔４ａの開口部側から見て十字状をなすように、軸体４の円周上の４か所に均等に配置されている。
【００３０】
図２（ａ）乃至図２（ｃ）に示すように、落下防止フック１は、水平に設置された型枠部材５２に対し、平板５４に設けられた貫通孔６５（図２（ｃ）参照）に棒状部材２を上面５４ａ側から差し込むようにして取り付けられる。なお、貫通孔６５は直径が６ｍｍ以下であれば、落下防止フック１の棒状部材２が差し込まれていない状態であっても、平板５４の上面５４ａに打設されたコンクリートが貫通孔６５を通って下面５４ｂ側に漏れ出すおそれはない。
【００３１】
次に、落下防止フック１を用いたコンクリートスラブの施工方法について図３乃至図５を用いて説明する。ただし、図３はコンクリートスラブを施工する際に落下防止フック１を用いた場合の作業手順を示す工程図である。また、図４及び図５は図３に示した作業手順に従って型枠が解体される様子を模式的に示した図である。
なお、図４及び図５における５２（５３）や５４（５５）等の表記は型枠部材５２，５３のいずれについても落下防止フック１が同様の状態で取り付けられることを示している。また、図７及び図８に示した構成要素については同一の符号を付して、その説明を省略する。
【００３２】
図３に示すように、まず、ステップＳ１０において、既に形成されている下階のスラブ５８等の上に支保工５９を組み上げ、この志保工５９の上に梁型枠６０を設置する（図８（ａ）参照）。次に、ステップＳ２０では、型枠部材５２，５３をスライドさせて全体を適切な長さに調節し、対向する２つの梁型枠６０，６０の側部に固定された角材６１，６１の上面に両端をそれぞれ載置するようにしてデッキプレート５１を設置した後、梁型枠６０，６０の間に設置された志保工５９の上に枕木６２を載置してデッキプレート５１の中央部を支持する。
【００３３】
さらに、ステップＳ２５において、水平に設置されたデッキプレート５１の型枠部材５２，５３に対し、平板５４，５５に設けられた貫通孔６５（図５（ａ）参照）に棒状部材２を上面５４ａ，５５ａ側から差し込むようにして落下防止フック１を取り付ける（図４（ａ）参照）。
そして、ステップＳ３０では、複数のデッキプレート５１の平板５４，５５の上面５４ａ，５４ｂに鉄筋からなるスラブ型枠（図示せず）を形成した後、落下防止フック１を倒さないように注意しながら、スラブ型枠内にコンクリートを打設する。
【００３４】
次に、図４（ｂ）に示すように、コンクリートが固化して、その強度が所定の基準値に達すると、固化したコンクリートの内部から棒状部材２を撤去する際にフランジ５が抵抗となるため、固化したコンクリートによってキャップ３が確実に固定される。このとき、テーパーリブ６はフランジ５の破損を防ぐ補強部材として機能する。
その後、ステップＳ４０において、支保工５９を撤去する。このとき、固化したコンクリートの内部にキャップ３が埋設された状態の落下防止フック１は棒状部材２の係止部２ａを平板５４，５５の下面５４ｂ，５５ｂに係止させた状態でデッキプレート５１を保持するという作用を有する。そのため、支保工５９の支えを失ったデッキプレート５１が落下してしまうことはない。
【００３５】
ステップＳ４５では、貫通孔６５に差し込まれた棒状部材２を矢印Ｃで示すように平板５４，５５の下面５４ｂ，５５ｂ側から撤去する（図５（ａ）参照）。なお、棒状部材２は係止部２ａを把持して軸体４の中心軸まわりに所定の方向へ回動させることで、ネジ孔４ａから簡単に離脱する。また、前述したように、キャップ３がコンクリートの固化によって形成されたスラブ６４によって確実に固定されるため、この作業は極めて容易である。したがって、落下防止フック１においては、貫通孔６５から棒状部材２を短時間で効率よく撤去することが可能である。なお、棒状部材２が貫通孔６５から撤去されることによりスラブ６４の内部にはキャップ３のみがとり残された状態になる。
その後、ステップＳ５０において、図５（ｂ）に示すようにデッキプレート５１や角材６１を撤去した後、梁型枠６０やスラブ型枠を撤去する。
【００３６】
以上、説明したように、コンクリートスラブを施工する際に本発明の落下防止フック１を用いた場合、型枠解体時に支保工５９の突き替え（図７のステップＳ４０を参照）を行う必要がないため、コンクリートの固化により、その強度が所定の基準値に達した時点ですぐに支保工５９を撤去することができる（図３のステップＳ４０を参照）。なお、コンクリートスラブの施工に落下防止フック１を用いた場合、図３のステップＳ２５及びステップＳ４５に示したように、スラブ型枠内にコンクリートを打設する前にデッキプレート５１に落下防止フック１を設置する作業と、コンクリートの固化により、その強度が所定の基準値に達した後にデッキプレート５１から落下防止フック１の棒状部材２を撤去する作業が新たに発生する。しかしながら、前述したように、落下防止フック１では、これらの作業を極めて容易に行うことができる。そのため、本発明の落下防止フック１によれば、コンクリートスラブ施工後にデッキプレート５１の落下を防ぎつつ、型枠解体作業を効率良く行うことが可能である。
【００３７】
本実施例では、棒状部材２を鋼材によって形成しているが、例えば、合成樹脂によって棒状部材２を形成することもできる。この場合、棒状部材２を基端近傍で折るようにして撤去できるため、キャップ３に対して棒状部材２を着脱可能な構造にする必要がないというメリットがある。ただし、棒状部材２を鋼材によって形成した場合、棒状部材２の引張強度が高いため、デッキプレートに取り付ける落下防止フック１の個数を少なくして棒状部材２の撤去作業（図３のステップS４５参照）の効率を高めることが可能である。
【００３８】
また、係止部２ａを形成するために棒状部材２の先端側を折り曲げる角度は９０度に限られない。ただし、当該角度を９０度にした場合、デッキプレート５１の貫通孔６５への差し込みと抜き取りが容易であるため、当該作業を効率良く行うことができる。さらに、落下防止フック１をデッキプレート５１に取り付けた際に棒状部材２の係止部２ａが平板５４，５５の下面５４ｂ，５５ｂと平行になるため、係止部２ａが平板５４，５５の下面５４ｂ，５５ｂに対して接触し得る面積が広くなる。その結果、棒状部材２の係止部２ａと平板５４，５５の下面５４ｂ，５５ｂとの係止状態が安定するため、デッキプレート５１の落下を防ぐという作用が確実に発揮される。すなわち、本実施例で示したように、棒状部材２の先端側の折り曲げ角度を９０度にした場合には、コンクリートスラブ施工後における型枠解体業の安全性と効率がより一層高まるという効果を奏する。
【産業上の利用可能性】
【００３９】
請求項１乃至請求項５に記載された発明は、多層建築物の床や天井等にコンクリートスラブを施工する場合に適用可能である。
【符号の説明】
【００４０】
１…落下防止フック  ２…棒状部材  ２ａ…係止部  ２ｂ…雄ネジ部  ３…キャップ  ４…軸体  ４ａ…ネジ孔  ５…フランジ  ６…テーパーリブ  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  ５８…スラブ  ５９…支保工  ６０…梁型枠  ６１…角材  ６２…枕木  ６３…梁  ６４…スラブ  ６５…貫通孔  
【要約】
【課題】コンクリートスラブ施工後における型枠解体作業の安全性と効率を高めるとともに安価に製造することが可能な落下防止フックを提供する。
【解決手段】本発明の落下防止フック１は、先端側を直角に折り曲げるようにして係止部２ａが形成されるとともに、基端側に雄ネジ部２ｂが形成された鋼製の棒状部材２と、この棒状部材２の一端に螺着される合成樹脂製のキャップ３からなる。キャップ３は、棒状部材２の雄ネジ部２ｂが螺入されるネジ孔４ａが軸方向に設けられた円柱状の軸体４と、この軸体４のネジ孔４ａが設けられていない側の端部に軸方向と直交するように設けられるフランジ５と、側面視楔状に形成されて軸体４の外周面に設けられるテーパーリブ６からなる。
【選択図】図１【図１】
0005905636.tif 000002
【図２】
0005905636.tif 000003
【図３】
0005905636.tif 000004
【図４】
0005905636.tif 000005
【図５】
0005905636.tif 000006
【図６】
0005905636.tif 000007
【図７】
0005905636.tif 000008
【図８】
0005905636.tif 000009